(57)【特許請求の範囲】
【請求項１】
ディスク装着部の前方側に配設され、基端側が回動可能に支持され、先端側に光ディスクの周縁部が当接するディスク当接部材を有する一対のディスク引き込みアームと、
上記ディスク引き込みアームの回動に連動して移動すると共に、引き込み用付勢部材により一方向に付勢されることにより、上記ディスク引き込みアームを、先端側がこれらディスク引き込みアーム間の中心に向かう方向に回動付勢する伝達部材と、
上記ディスク装着部に対する接離方向に移動操作されるチャッキング部材と、
当接支持部で上記ディスク装着部に対して離間した状態に上記チャッキング部材を支持すると共に、上記伝達部材の係合部に被係合部を係合させ、上記伝達部材が一方向に移動することにより回動され上記当接支持部による上記チャッキング部材の支持を解除し、上記チャッキング部材を上記ディスク装着部に近接する方向に移動させるストッパ部材とを備え、
上記各ディスク引き込みアームは、前方側よりこれらディスク引き込みアーム間に光ディスクが挿入されたとき、この光ディスクの周縁部に上記ディスク当接部材が当接し、この光ディスクの移動に伴って上記引き込み用付勢部材の付勢力に抗して回動し、上記伝達部材は、上記引き込み用付勢部材の付勢力に抗して他方向に移動し、
上記各ディスク当接部材間の距離が上記光ディスクの直径に相当する距離となった後、上記各ディスク引き込みアームは、上記引き込み用付勢部材の付勢力により回動して、上記光ディスクを上記ディスク装着部に向けて移動させ、上記伝達部材は、上記引き込み用付勢部材の付勢力により一方向に移動し、
上記チャッキング部材は、上記各ディスク引き込みアームが上記光ディスクを上記ディスク装着部に対向する位置に移動し上記伝達部材が一方向に移動するとき、上記伝達部材が上記ストッパ部材を回動し上記当接支持部による上記チャッキング部材の支持を解除し上記ディスク装着部に近接する方向に移動し上記光ディスクを上記ディスク装着部に装着させることを特徴とするディスクローディング機構。
【発明の詳細な説明】
【０００１】
【産業上の利用分野】
本発明は、光ディスクをディスクプレーヤ装置に装着させるためのディスクローディング機構に関する。
【０００２】
【従来の技術】
従来、情報信号が記録され、この情報信号を光学ピックアップ装置により読み出すように構成された光ディスクが提案されている。この光ディスクは、ポリカーボネイトの如き合成樹脂材料により円盤状に形成されたディスク基板と、このディスク基板の一主面部に形成された信号記録面部とを有して構成されている。この信号記録面部には、アルミニウムの如き金属材料よりなる薄膜が、反射層として被着形成されている。
【０００３】
このような光ディスクは、上記光学ピックアップ装置を備えたディスクプレーヤ装置に装着されることにより、該光学ピックアップ装置による情報信号の読み出しを行われる。
【０００４】
上記ディスクプレーヤ装置は、上記光ディスクを上記光学ピックアップ装置に対向させた状態に保持して回転操作する回転操作機構を有している。すなわち、この回転操作機構及び上記光学ピックアップ装置は、上記光ディスクが装着されるディスク装着部を構成する。
【０００５】
そして、上記ディスクプレーヤ装置は、上記光ディスクを上記ディスク装着部に装着させるためのディスクローディング機構を有している。このディスクローディング機構は、上記ディスクプレーヤ装置の外方側よりこのディスクプレーヤ装置を構成する外筐体に対して挿入操作された光ディスクを搬送して上記ディスク装着部に装着させるものである。
【０００６】
上記ディスクローディング機構としては、いわゆるスロットイン方式のものが提案されている。このスロットイン方式のディスクローディング機構は、上記外筐体に形成されたスロットより挿入操作された光ディスクを、この光ディスクの主面部に沿う方向に上記ディスク装着部まで搬送して、このディスク装着部に装着させるように構成されたものである。
【０００７】
このディスクローディング機構は、上記スロットより挿入操作された光ディスクをこの光ディスクの両主面部側より挟持する一対の回転ローラを有している。これら回転ローラは、上記光ディスクを挟持した状態で、モータの如き駆動力源よりの駆動力により回転操作され、該光ディスクを搬送する。そして、上記ディスク装着部に対向する位置まで搬送された光ディスクは、この光ディスクの主面部に垂直な方向に移動されて、該ディスク装着部に装着され、チャッキングされる。
【０００８】
また、上記ディスク装着部に装着されていた光ディスクは、このディスクプレーヤ装置より排出されるときには、この光ディスクの主面部に垂直な方向に移動操作されて該ディスク装着部より離脱され、上記各回転ローラにより挟持される。そして、この光ディスクは、上記各回転ローラが回転操作されることにより、上記スロットを介して、上記外筐体の外方側に搬出される。
【０００９】
【発明が解決しようとする課題】
ところで、上述のようなディスクローディング機構を有して構成されたディスクプレーヤ装置においては、上記光ディスクの上記ディスク装着部に対向する位置までの引き込みとこの光ディスクに対するチャッキング動作とのタイミングを、プッシュスイッチの如き位置センサによる光ディスクの位置の検出に基づき、上記チャッキングモータを駆動させ、ギヤやリンクを介してチャッキング動作を実行することにより、維持している。
【００１０】
すなわち、このディスクプレーヤ装置においては、上記光ディスクをチャッキングするための駆動力源となるチャッキング用モータ、このチャッキング用モータの電源、このチャッキング用モータの駆動力を伝達させるギヤやリンク、及び、上記位置センサを内蔵する必要があるため、装置構成の大型化、重量増加、及び、消費電力の増大が招来されている。
【００１１】
また、このディスクプレーヤ装置において、上記チャッキング用モータの電源を外部電源より供給することとすると、該外部電源がないところ、例えば屋外等においては、このディスクプレーヤ装置を使用できない。
【００１２】
したがって、このディスクローディング機構は、いわゆる携帯用、屋外用のディスクプレーヤ装置に適用する機構としては不適当である。
【００１３】
そこで、本発明は、上述の実情に鑑みて提案されるものであって、装置構成の簡素化、小型化、軽量化が可能となされ、消費電力の増加が抑えられ、特に、携帯用、屋外用として構成されるディスクプレーヤ装置に適用して好適なディスクローディング機構を提供することを目的とする。
【００１４】
【課題を解決するための手段】
上述の課題を解決し上記目的を達成するため、本発明に係るディスクローディング機構は、ディスク装着部の前方側に配設され、基端側が回動可能に支持され、先端側に光ディスクの周縁部が当接するディスク当接部材を有する一対のディスク引き込みアームと、上記ディスク引き込みアームの回動に連動して移動すると共に、引き込み用付勢部材により一方向に付勢されることにより、上記ディスク引き込みアームを、先端側がこれらディスク引き込みアーム間の中心に向かう方向に回動付勢する伝達部材と、上記ディスク装着部に対する接離方向に移動操作されるチャッキング部材と、当接支持部で上記ディスク装着部に対して離間した状態に上記チャッキング部材を支持すると共に、上記伝達部材の係合部に被係合部を係合させ、上記伝達部材が一方向に移動することにより回動され上記当接支持部による上記チャッキング部材の支持を解除し、上記チャッキング部材を上記ディスク装着部に近接する方向に移動させるストッパ部材とを備える。
【００１５】
上記各ディスク引き込みアームは、前方側よりこれらディスク引き込みアーム間に光ディスクが挿入されたとき、この光ディスクの周縁部に上記ディスク当接部材が当接し、この光ディスクの移動に伴って上記引き込み用付勢部材の付勢力に抗して回動し、上記伝達部材は、上記引き込み用付勢部材の付勢力に抗して他方向に移動する。
【００１６】
上記各ディスク当接部材間の距離が上記光ディスクの直径に相当する距離となった後、上記各ディスク引き込みアームは、上記引き込み用付勢部材の付勢力により回動して、上記光ディスクを上記ディスク装着部に向けて移動させ、上記伝達部材は、上記引き込み用付勢部材の付勢力により一方向に移動する。
【００１７】
上記チャッキング部材は、上記各ディスク引き込みアームが上記光ディスクを上記ディスク装着部に対向する位置に移動し上記伝達部材が一方向に移動するとき、上記伝達部材が上記ストッパ部材を回動し上記当接支持部による上記チャッキング部材の支持を解除し上記ディスク装着部に近接する方向に移動し上記光ディスクを上記ディスク装着部に装着させる。
【作用】
本発明に係るディスクローディング機構においては、ディスク装着部の前方側に配設され基端側を回動可能に支持され先端側にディスク当接部材を有する左右一対のディスク引き込みアーム間に前方側より光ディスクが挿入され、これらディスク引き込みアームが該ディスク当接部材を該光ディスクの周縁部に当接させ該光ディスクの移動に伴って引き込み用付勢部材の付勢力に抗して回動され、さらに、これらディスク引き込みアームが該各ディスク当接部材間の距離が該光ディスクの直径に相当する距離となった後に該引き込み用付勢部材の付勢力により該光ディスクをディスク装着部に向けて移動させたとき、チャッキング部材は、該各ディスク引き込みアームの回動に連動して該ディスク装着部に接近する方向に移動操作されて該光ディスクを該ディスク装着部に装着させるので、該光ディスクの位置に応じたチャッキング動作を行う。
【実施例】
以下、本発明の具体的な実施例を図面を参照しながら説明する。
【００１８】
この例は、本発明に係るディスクローディング機構を、図１に示すように、光ディスク２０１に記録された情報信号を再生するディスクプレーヤ装置に適用した例である。以下の順序により説明する。
［１］光ディスクの構成（図１、図４）
［２］ディスクプレーヤ装置の構成（２−１）ディスク装着部（図１、図４）
（２−２）ディスク引き込みアームの構成（図１、図２、図４乃至図１６）
（２−３）チャッキング部材の構成（図１、図２、図４乃至図１６）
（２−４）ディスク排出アームの構成（図１、図３、図４乃至図１６）
［３］ディスクプレーヤ装置の動作（図４乃至図１６）
（３−１）初期状態（図４）
（３−２）光ディスクの挿入操作（図４乃至図１０）
（３−３）光ディスクのチャッキング（図９及び図１０）
（３−４）光ディスクのイジェクト操作（図１１乃至図１６）
【００１９】
［１］光ディスクの構成（図１、図４）
上記光ディスク２０１は、ポリカーボネイトの如き合成樹脂材料より、直径が例えば１２０ｍｍ程度の円盤状に形成されたディスク基板を有している。このディスク基板の中央部には、直径が例えば１５ｍｍ程度のチャッキング孔２０２が開設されている。
【００２０】
上記ディスク基板の一方の主面部は、信号記録面となされており、このディスク基板が射出成型手段により形成されるときに、微細な凹凸、すなわち、ピットが形成される。このピットは、この光ディスクに記録されるデジタル信号化された情報信号に対応したものとなっている。
【００２１】
この信号記録面上には、アルミニウムの如き金属材料よりなる反射層が被着形成されている。
【００２２】
この光ディスクは、光学ピックアップ装置を用いて、他方の主面部である信号読み取り面の側より、上記ディスク基板を透して上記信号記録面に集光させた光束を照射し、また、この光束の該信号記録面よりの反射光束を検出することにより、情報信号の読み取りが行えるように構成されている。
【００２３】
［２］ディスクプレーヤ装置の構成
（２−１）ディスク装着部（図１、図４）
そして、上記ディスクプレーヤ装置は、図１に示すように、上方側が開放された筐体本体部１を有している。この筐体本体部１は、開放された上方側を蓋体８により閉蓋され、この蓋体８とともに外筐体を構成している。
【００２４】
この外筐体は、底面部が、一辺の長さが上記光ディスク２０１の直径に略々対応した長さ、すなわち、例えば１３ｃｍ乃至１４ｃｍ程度である矩形状となされている。また、この外筐体の上下方向の厚さは、例えば２ｃｍ乃至３ｃｍ程度となされている。
【００２５】
この外筐体の前面部には、上記光ディスク２０１が前方側より水平に挿入操作されるためのスロット７が設けられている。
【００２６】
上記外筐体内の底面側には、シャーシ６が配設されている。このシャーシ６上には、上記装着部２が配設されている。このディスク装着部２は、ディスクテーブル４と、光学ピックアップ装置５と、これらディスクテーブル４及び光学ピックアップ装置５を支持するフレーム部とを有して構成されている。
【００２７】
このディスク装着部２のフレーム部は、上記シャーシ６に対して、複数のダンパ部材３を介して支持され、いわゆるフローティング状態に支持されている。
【００２８】
上記ディスクテーブル４は、略々円盤状に形成され、上記フレームに支持された図示しないスピンドルモータの駆動軸の先端側に取り付けられている。このスピンドルモータは、上記駆動軸を上方側に向けて支持されている。このディスクテーブル４は、上面部の中央部分に、円錐台形状の突起を有している。このディスクテーブル４は、上記シャーシ６の中央部上に位置している。
【００２９】
上記ディスクテーブル４は、上記光ディスク２０１の中央部分が載置されると、上記円錐台形状の突起を上記チャッキング孔２０２に嵌合させて、この光ディスク２０１の主面部に沿う方向の位置決め、いわゆる調芯（センタリング）を行う。このディスクテーブル４上に載置された光ディスク２０１は、後述するチャッキング部材により、このディスクテーブル４上に押さえられて保持される。
【００３０】
上記光学ピックアップ装置５は、光源となる半導体レーザ、この半導体レーザの発する光束を導く種々の光学デバイス、この光束を集光して射出させる対物レンズ１０７、この対物レンズ１０７を介して戻る光束を検出する光検出器等を、光学ブロック部内に内蔵して構成されている。
【００３１】
この光学ピックアップ装置５は、上記フレームにより、上記ディスクテーブル４に対する接離方向に移動操作可能に支持されている。この光学ピックアップ装置５は、上記対物レンズ１０７の光軸を上記スピンドルモータの駆動軸に平行となしており、この対物レンズ１０７を介して、上方に向けて、光束を射出する。このディスク装着部２においては、上記光ディスク２０１が上記ディスクテーブル４上に載置されて保持されることにより、上記光学ピックアップ装置５の対物レンズ１０７は、該光ディスク２０１の信号読み取り面に対向する。そして、上記スピンドルモータが回転駆動することによって上記ディスクテーブル４及び上記光ディスク２０１が回転操作され、また、上記光学ピックアップ装置５が該ディスクテーブル４に対する接離方向に移動操作されることにより、この光学ピックアップ装置５は、該光ディスク２０１の信号記録領域の全面について、情報信号の読み出しを行うことができる。
【００３２】
（２−２）ディスク引き込みアーム（図１、図２、図４乃至図１６）
上記外筐体内には、図１に示すように、左右一対のディスク引き込みアーム５４，５６が配設されている。これらディスク引き込みアーム５４，５６は、図２に示すように、上記ディスク装着部２の前方側に、略々左右対称である形状を有し左右対称の位置に配設されている。
【００３３】
これらディスク引き込みアーム５４，５６は、それぞれ基端側に形成された支持孔５９，６１に、上記蓋体８の下面部に植設された回動軸を挿通させ、この回動軸を介して回動可能に支持されている。これらディスク引き込みアーム５４，５６は、初期状態において、先端側を前方側に延在させている。
【００３４】
また、これらディスク引き込みアーム５４，５６は、先端側に、ディスク当接部材となるディスク引き込みピン５５，５７を有している。これらディスク引き込みピン５５，５７は、円柱状のピンであって、上記スロット７より挿入操作される光ディスク２０１の主面部に垂直である方向、すなわち、下方に向けて突設されている。これらディスク引き込みピン５５，５７は、下端側が縮径されることによって、上記スロット７より挿入操作された光ディスク２０１の周縁部に当接する側面部のディスク装着部２側の部分が欠損部１０８となっている。
【００３５】
上記各ディスク引き込みアーム５４，５６は、伝達部材となる引き込みスライダ５１を介して互いに連係されている。すなわち、上記引き込みスライダ５１は、上記外筐体内において、上記蓋体８の下面部に沿って、横方向にスライド可能に支持されている。この引き込みスライダ５１は、この引き込みスライダ５１に設けられた係止爪９４と上記外筐体内に設けられた図示しない係止爪との間に張架された引き込み用付勢部材となる引き込みバネ１１３により、図２中矢印Ｇで示す一方方向（このディスクプレーヤ装置に向かって右方向）に付勢されている。
【００３６】
一方側（このディスクプレーヤ装置に向かって右側）のディスク引き込みアーム５６は、上記支持孔６１よりも後方側に、連係ピン６０を有し、この連係ピン６０を上記引き込みスライダ５１の連係溝５３に嵌入係合させている。また、他方側（このディスクプレーヤ装置に向かって左側）のディスク引き込みアーム５４は、上記支持孔５９よりも前方側に、連係ピン５８を有し、この連係ピン５８を上記引き込みスライダ５１の連係孔５２に嵌入係合させている。
【００３７】
したがって、上記引き込みスライダ５１が図２中矢印Ｇで示す一方側にスライドされると、上記一方側のディスク引き込みアーム５６は、図２中矢印Ｈで示すように、先端側を上記各ディスク引き込みアーム５４，５６間の中心側に向かわせる方向に回動される。また、上記引き込みスライダ５１が図２中矢印Ｇで示す一方側にスライドされると、上記他方側のディスク引き込みアーム５４は、図２中矢印Ｊで示すように、先端側を上記各ディスク引き込みアーム５４，５６間の中心側に向かわせる方向に回動される。
【００３８】
すなわち、上記引き込みバネ１１３は、上記各ディスク引き込みアーム５４，５６の先端側がこれらディスク引き込みアーム５４，５６間の中心に向かう方向に該各ディスク引き込みアーム５４，５６を回動付勢していることとなる。
【００３９】
上記各ディスク引き込みアーム５４，５６は、図４及び図５において矢印Ｓで示すように、前方側よりこれらディスク引き込みアーム５４，５６間に光ディスク２０１が挿入されたとき、この光ディスク２０１の周縁部に上記ディスク引き込みピン５５，５７を当接させ、これらディスク引き込みピン５５，５７を介して、図５中に矢印Ｔ及び矢印Ｕで示すように、該光ディスク２０１の移動に伴って引き込みバネ１１３の付勢力に抗する方向、すなわち、上記各ディスク引き込みピン５５，５７間を離間させる方向に回動される。
【００４０】
なお、このように、上記光ディスク２０１が挿入操作される前には、上記各ディスク引き込みアーム５４，５６は、後述するディスク検知レバー６２により、初期位置に保持されている。この初期位置においては、上記各ディスク引き込みアーム５４，５６は、図４に示すように、上記各ディスク引き込みピン５５，５７間の間隔を、これらディスク引き込みピン５５，５７間に上記光ディスク２０１が挿入され得る程度に離間させる位置となっている。
【００４１】
そして、上記各ディスク引き込みアーム５４，５６は、図６及び図７に示すように、上記各ディスク引き込みピン５５，５７間の距離が上記光ディスク２０１の直径に相当する距離となった後、さらにこの光ディスク２０１が後方側に移動操作されることにより、図８中矢印Ｈ及び矢印Ｊで示すように、上記引き込みバネ１１３の付勢力により、該各ディスク引き込みピン５５，５７を互いに接近させる方向に回動され、図９及び図１０に示すように、該各ディスク引き込みピン５５，５７を介して、該光ディスク２０１を上記ディスク装着部２上に向けて移動させる。
【００４２】
上記各ディスク引き込みピン５５，５７は、上記各ディスク引き込みアーム５４，５６が上記光ディスク２０１を上記ディスク装着部２に対向する位置、すなわち、上記チャッキング孔２０２が上記ディスクテーブル４の中央部に対向する位置に移動させたとき、この光ディスク２０１の位置決めを行う。
【００４３】
このように、上記各ディスク引き込みアーム５４，５６が上記光ディスク２０１を上記ディスク装着部２に対向する位置まで引き込んだときには、これらディスク引き込みアーム５４，５６は、後述するディスク検知レバー６２が該光ディスク２０１によって回動操作されることにより、ローディング位置となされる。このローディング位置においては、上記各ディスク引き込みアーム５４，５６は、図９に示すように、上記各ディスク引き込みピン５５，５７を互いに近接させる位置となっている。
【００４４】
また、後述する位置決め部材となるディスク排出ピン１３，１５は、上記ディスク装着部２の後方側に位置し、上記各ディスク引き込みアーム５４，５６が上記光ディスク２０１を該ディスク装着部２に対向する位置に移動させたとき、上記各ディスク引き込みピン５５，５７と共働して該光ディスク２０１の位置決めを行う。
【００４５】
（２−３）チャッキング部材の構成（図１、図２、図４乃至図１６）
上記外筐体内には、チャッキング部材が配設されている。このチャッキング部材は、チャッキングフレーム８４、ディスクリフタ板９０、チャッキングアーム９２及びチャッキングプレート９１により構成されている。
【００４６】
上記チャッキングフレーム８４は、上記外筐体内の後縁部に沿って配設される後梁部と、この後梁部の両端側より前方に向けて延在されて該外筐体内の左右両側縁部に沿わされた左右一対の側梁部８６，８６とを有して、コの字形状に形成されている。このチャッキングフレーム８４は、上記各側梁部８６，８６の後方側部分に、左右一対の支持孔８５，８５を有している。このチャッキングフレーム８４は、上記各支持孔８５，８５に上記外筐体内に配設された左右一対の支軸を挿通させることにより、回動可能に支持され、上記各側梁部８６，８６の前端側を上下方向に移動可能としている。
【００４７】
上記チャッキングフレーム８４の両側梁部８６，８６の前端側部分の間には、これら側梁部８６，８６間に亘って、ディスクリフタ板９０が取り付けられている。このディスクリフタ板９０は、中央部分に上記ディスク装着部２の大きさに対応した切り欠き部を有しており、上記チャッキングフレーム８４が回動されて上記シャーシ６側に移動されたとき、すなわち、上記チャッキングフレーム８４がチャッキング位置となされたときには、該切り欠き部内に該ディスク装着部２を嵌入させて、上記ディスクテーブル４よりも該シャーシ６側に移動される。
【００４８】
また、上記ディスクリフタ板９０は、上記チャッキングフレーム８４が回動されて上記シャーシ６より離間する方向に移動されたとき、すなわち、上記チャッキングフレーム８４がリリース位置となされたときには、上記ディスクテーブル４よりも該シャーシ６より離間した位置に移動される。
【００４９】
そして、上記チャッキングアーム９２は、上記チャッキングフレーム８４の後梁部の略々中央部より、前方側に向けて突出形成されている。このチャッキングアーム９２の先端側部分は、上記ディスクテーブル４の上方に位置している。
【００５０】
上記チャッキングプレート９１は、上記光ディスク２０１のチャッキング孔２０２の直径よりやや大きな直径を有する円盤状に形成されている。このチャッキングプレート９１は、上記チャッキングアーム９２の先端側部分の下面部に、回転可能に取り付けられている。
【００５１】
このチャッキングプレート９１は、上記チャッキングフレーム８４が上記チャッキング位置となされたときには、上記ディスクテーブル４の上面部に当接される。このとき、上記ディスクテーブル４上に上記光ディスク２０１が載置されていた場合には、上記チャッキングプレート９１は、該ディスクテーブル４と共働して該光ディスク２０１を挟持する。上記ディスクテーブル４と共働して上記光ディスク２０１を挟持しているチャッキングプレート９１は、このディスクテーブル４が上記スピンドルモータにより回転操作されると、このディスクテーブル４及び該光ディスク２０１とともに、回転操作される。
【００５２】
また、このチャッキングプレート９１は、上記チャッキングフレーム８４が上記リリース位置となされたときには、上記ディスクテーブル４の上面部より離間される。
【００５３】
上記チャッキングフレーム８４が上記リリース位置となされているときには、上記スロット７より光ディスク２０１が挿入操作されると、この光ディスク２０１は、上記チャッキングプレート９１と上記ディスクリフタ板９０との間に挿入される。
【００５４】
そして、上記チャッキングフレーム８４は、一の側梁部８６（この例では他側側の側梁部）に設けられたバネ係止部８７と上記外筐体内に設けられたバネ係止部との間に張架された引っ張りコイルバネ８９により、図１及び図２中矢印Ｌで示すように、上記チャッキング位置となる側、すなわち、上記チャッキングプレート９１を上記ディスクテーブル４側に移動させる方向に回動付勢されている。一の側梁部８６（この例では他側側の側梁部）の近傍には、ストッパ部材７３と、イジェクトスライダ７７とが配設されている。
【００５５】
上記ストッパ部材７３は、上記外筐体内の他側側に配設された支持側板６７に対して、支軸７５を介して、下縁部分を回動可能に支持されている。このストッパ部材７３は、上縁部を上方に向けた初期状態において、この上縁側に設けられた当接支持部１０６により、上記一の側梁部８６の下縁部を当接支持し、上記チャッキングフレーム８４を上記リリース位置に保持するようになされている。
【００５６】
そして、このストッパ部材７３は、上記支軸７５回りに回動操作されて上縁部を上記外筐体の内方側に移動させることにより、上記当接支持部１０６による上記一の側梁部８６に対する支持を解除し、上記チャッキングフレーム８４が上記チャッキング位置に向けて回動することを可能とする。
【００５７】
上記ストッパ部材７３は、上記支軸７５に外嵌装された捻りコイルバネ７６により、チャッキングフレーム８４を支持する初期状態となる方向に回動付勢されている。
【００５８】
上記ストッパ部材７３は、上端側に、被係合部となる係合ピン７４を有し、この係合ピン７４を介して、上記引き込みスライダ５１に取り付けられた係合部となる鈎状部材９３により、上記捻りコイルバネ７６の付勢力に抗して回動操作される。この鈎状部材９３は、上記引き込みスライダ５１の他端側に、この引き込みスライダ５１上に植設された支軸９６を介して、基端側を回動可能に支持されている。この鈎状部材９３は、先端側に鈎部を有し、この鈎部を上記係合ピン７４に係合させ得る初期位置と、この鈎部を該係合ピン７４より離間させる位置とに亘って、回動操作可能となされている。この鈎状部材９３は、捻りコイルバネ９５により、図１及び図２中矢印Ｒで示すように、上記初期位置となる方向に回動付勢されている。
【００５９】
上記引き込みスライダ５１は、上記各ディスク引き込みアーム５４，５６を上記初期位置としているときには、図４に示すように、上記鈎状部材９３の鈎部を上記ストッパ部材７３の係合ピン７４に係合させている。
【００６０】
上記光ディスク２０１が挿入操作され、上記引き込みスライダ５１が上記各ディスク引き込みアーム５４，５６を上記ローディング位置としたときには、この引き込みスライダ５１は、図９に示すように、上記鈎状部材９３の鈎部により上記係合ピン７４を上記外筐体の内方側方向に移動させ、ストッパ部材７３を回動操作する。
【００６１】
すなわち、上記光ディスク２０１が上記ディスク装着部２に対向する位置まで引き込まれたとき、上記引き込みスライダ５１は、上記鈎状部材９３を介して上記ストッパ部材７３を回動させ、上記チャッキングフレーム８４を上記チャッキング位置とさせる。
【００６２】
上記イジェクトスライダ７７は、前後一対の支持スリット７８，７９を有し、上記支持側板６７に設けられた前後一対の支持ピン６９，６８をこれら支持スリット７８，７９に対応して挿通係合させることにより、前後方向にスライド可能に支持されている。
【００６３】
このイジェクトスライダ７７は、前端部にイジェクト釦８２が取り付けられている。このイジェクト釦８２は、上記外筐体の前面部に設けられた透孔を介して、この外筐体の前面部よりも前方側に突出されている。このイジェクトスライダ７７は、上記外筐体との間に張架された引っ張りコイルバネ８３により、図１中矢印Ｍで示すように、前方方向に移動付勢されている。
【００６４】
このイジェクトスライダ７７は、後端側部分に、リリース操作ピン８０を有している。このリリース操作ピン８０は、上記チャッキングフレーム８の一の側梁部８６の下側に位置している。この一の側梁部８６の下縁部には、テーパカム部８８が形成されている。
【００６５】
このイジェクトスライダ７７は、上記イジェクト釦８２を押圧されて後方側にスライドされると、上記リリース操作ピン８０を上記テーパカム部８８に対して摺接させることにより、上記チャッキングフレーム８４を上記リリース位置まで回動させる。
【００６６】
また、このイジェクトスライダ７７は、上記引っ張りコイルバネ８３の付勢力により前方側にスライドされると、上記リリース操作ピン８０を上記テーパカム部８８に接触しない位置に移動させることにより、上記チャッキングフレーム８４が上記チャッキング位置に回動することを可能とする。
【００６７】
また、上記イジェクトスライダ７７は、上記引き込みスライダ５１の他端側部分の上方側に延在された係合片８１を有している。この係合片８１の後縁部は、上記イジェクトスライダ７７のスライド方向、すなわち、前後方向に対して傾斜されたテーパ部となっており、上記引き込みスライダ５１の他端側に取り付けられた復帰操作ピン６５の前側に臨んでいる。
【００６８】
上記イジェクトスライダ７７は、図１１において矢印Ｘで示すように、上記イジェクト釦８２を押圧されて後方側にスライドされると、上記係合片８１の後縁部を上記復帰操作ピン６５に対して摺接させることにより、上記引き込みスライダ５１を、図１１中矢印Ｙで示すように、上記各ディスク引き込みアーム５４，５６を上記初期位置とする位置に復帰させる。
【００６９】
そして、ディスク検知レバー６２は、上記外筐体内において、基端側を支軸１０２を介して回動可能に支持されている。このディスク検知レバー６２の先端側には、ディスク検知ピン６３が植設されている。
【００７０】
このディスク検知レバー６２は、上記ディスク検知ピン６３を上記支軸１０２と上記引き込みスライダ５１の一端部との間に位置させる図４に示す初期位置と、該ディスク検知ピン６３を該初期位置より後方側に移動させた位置である図８に示すディスク検知位置とに亘って、回動可能となされている。
【００７１】
上記ディスク検知レバー６２は、捻りコイルバネ６４により、図１及び図２中矢印Ｋで示すように、上記初期位置において上記ディスク検知ピン６３を前方側に移動させる方向に回動付勢され、この初期位置に位置決めされている。
【００７２】
このディスク検知レバー６２は、上記初期位置にあるときには、図４に示すように、上記ディスク検知ピン６３によって、上記各引き込みスライダ５１が上記各ディスク引き込みアーム５４，５６を初期位置とする位置よりも一端側方向に移動すること、すなわち、該引き込みスライダ５１が該各ディスク引き込みアーム５４，５６を上記ローディング位置とすることを阻止している。
【００７３】
すなわち、このディスク検知レバー６２は、上記初期位置にあるときには、上記引き込みスライダ５１が上記チャッキングフレーム８４を上記ディスク装着部２に接近する方向、すなわち、上記チャッキング位置に向かう方向に回動させることを阻止している。
【００７４】
そして、上記ディスク検知レバー６２は、上記光ディスク２０１が上記ディスク装着部２に対向する位置に存在するときには、図９に示すように、この光ディスク２０１により上記ディスク検知ピン６３を後方側に移動操作されてディスク検知位置に回動操作される。
【００７５】
このとき、このディスク検知レバー６２は、上記ディスク検知ピン６３による上記引き込みスライダ５１に対する移動の阻止を解除し、この引き込みスライダ５１が上記各ディスク引き込みアーム５４，５６を初期位置とする位置よりも一端側方向に移動すること、すなわち、該引き込みスライダ５１が該各ディスク引き込みアーム５４，５６を上記ローディング位置とすることを可能とする。
【００７６】
すなわち、上記光ディスク２０１が上記ディスク装着部２に対向する位置に存在するときには、上記ディスク検知レバー６２は、上記引き込みスライダ５１が上記チャッキングフレーム８４を上記チャッキング位置に向かう方向に回動させることを可能とする。
【００７７】
そして、上記ディスク検知レバー６２は、上記引き込みスライダ５１が上記各ディスク引き込みアーム５４，５６を上記ローディング位置としたとき、すなわち、該各ディスク引き込みアーム５４，５６が光ディスク２０１をディスク装着部２に対向する位置に移動させたときには、図９に示すように、該引き込みスライダ５１の一端部によって、上記ディスク検知ピン６３を該光ディスク２０１より離間させる位置に保持される。
【００７８】
すなわち、このとき、上記引き込みスライダ５１は、一端部を上記ディスク検知ピン６３に当接させることにより、このディスク検知ピン６３を上記光ディスク２０１より離間した位置に保持する。
【００７９】
したがって、上記チャッキングフレーム８４は、上記各ディスク引き込みアーム５４，５６が上記ローディング位置となって上記光ディスク２０１を上記ディスク装着部２に対向する位置に移動させ、かつ、上記ディスク検知レバー６２が該光ディスク２０１により上記ディスク検知位置に回動操作されたときに、これらディスク引き込みアーム５４，５６の回動に連動して、該ディスク装着部２に接近する方向に移動操作されて上記チャッキング位置となされ、該光ディスク２０１を該ディスク装着部２に装着させる。
【００８０】
上記ディスク装着部２に上記光ディスク２０１が装着されたとき、すなわち、該光ディスク２０１が上記ディスクテーブル４上に載置されてこのディスクテーブル４と上記チャッキングプレート９１とにより挟持されたときには、この光ディスク２０１の周縁部は、上記各ディスク引き込みピン５５，５７の欠損部１０８に対向している。すなわち、上記ディスク装着部２に装着された光ディスク２０１は、周縁部を上記各ディスク引き込みピン５５，５７に摺接させることがない。
【００８１】
また、上記ディスク装着部２に上記光ディスク２０１が装着されたときには、この光ディスク２０１は、上述したように上記チャッキングフレーム８４が上記チャッキング位置となっているときには上記ディスクリフタ板９０が上記ディスクテーブル４よりも上記シャーシ６側となっていることから、このディスクリフタ板９０に摺接することがない。
【００８２】
そして、上記ディスク装着部２に装着された光ディスク２０１は、上記チャッキングフレーム８４が上記リリース位置に回動されると、上記ディスクリフタ板９０に載置されて上方側に移動されることより、上記ディスクテーブル４より離間させられる。
【００８３】
（２−４）ディスク排出アームの構成（図１、図３、図４乃至図１６）
上記外筐体内には、ディスク排出部材となる左右一対のディスク排出アーム１２，１４が配設されている。これらディスク排出アーム１２，１４は、上記ディスク装着部２の後方側に、左右対称に配設されている。
【００８４】
これらディスク排出アーム１２，１４は、それぞれ基端側を、上記蓋体８の下面部に取り付けられた支持天板９に植設された左右一対の支軸１０，１１に対応して支持され、初期状態においては、図４に示すように、それぞれ先端側を該各ディスク排出アーム１２，１４間の中間側の斜め前方側に向けてた初期位置となされている。
【００８５】
上記各ディスク排出アーム１２，１４は、それぞれ先端側に、ディスク当接部材となり上記位置決め部材ともなるディスク排出ピン１３，１５を有している。上記各ディスク排出アーム１２，１４が上記初期位置であるとき、上記各ディスク排出ピン１３，１５も、これらディスク排出ピン１３，１５の初期位置となる。
【００８６】
すなわち、上記各ディスク排出アーム１２，１４は、上記ディスク排出ピン１３，１５を前後方向に移動可能として支持されている。そして、これらディスク排出アーム１２，１４は、前方側より上記ディスク装着部２に向かって移動される光ディスク２０１により、図７乃至図９において矢印Ｗ及び矢印Ｖで示すように、上記ディスク排出ピン１３，１５を押圧され、このディスク排出ピン１３，１５を後方に移動させる方向に回動操作される。
【００８７】
上記各ディスク排出アーム１２，１４は、基端側に、上記支軸１０，１１を中心とするギヤ部１６，１７を有している。そして、上記蓋体８の下面部の後方側部分には、上記各ディスク排出アーム１２，１４のギヤ部１６，１７に対応して噛合する一対のラックギヤ部３４，３６を有し、付勢力切り換えスライダともなる排出スライダ３１が、支持天板９を介して、横方向にスライド可能に支持されている。
【００８８】
上記排出スライダ３１は、一対の支持スリット３２，３３を有し、これら支持スリット３２，３３に、上記支持天板９に植設された一対の支持ピンを挿通させて、スライド可能に支持されている。
【００８９】
一方側（ディスクプレーヤ装置に向かって右側）の排出アーム１２のギヤ部１６に噛合する上記排出スライダ３１の一端側のラックギヤ部３４は、前方側に向けて形成され、該ギヤ部１６の後方側部分に噛合している。また、他方側（ディスクプレーヤ装置に向かって左側）の排出アーム１４のギヤ部１７に噛合する上記排出スライダ３１の他端側のラックギヤ部３６は、後方側に向けて形成され、該ギヤ部１７の前方側部分に噛合している。
【００９０】
したがって、上記排出スライダ３１が、図１中矢印Ｂで示す他側側方向にスライドされると、上記各ディスク排出アーム１２，１４は、図１中矢印Ｃ及び矢印Ｄで示すように、上記各ディスク排出ピン１３，１５をこれらディスク排出アーム１２，１４の中間位置を経て前方側に移動させる方向に回動される。
【００９１】
そして、このディスクプレーヤ装置は、上記ディスク排出アーム１２，１４を回動付勢する付勢手段を有している。
【００９２】
この回動手段は、上記ディスク排出ピン１３，１５が前方に向かう方向にディスク排出アーム１２，１４を回動付勢する排出用付勢部材となる排出用バネ２９と、該ディスク排出ピン１３，１５が後方に向かう方向に該ディスク排出アーム１２，１４を付勢する付勢力であって該排出用バネ２９の付勢力よりも強い付勢力を発する退避用付勢部材となる退避用バネ２３とからなる。
【００９３】
上記排出用バネ２９は、引っ張りコイルバネであって、上記支持天板９上の他側側のバネ係止片２７と上記排出スライダ３１上のバネ係止部２５との間に張架され、該排出スライダ３１を図１中矢印Ｂで示す他側側方向に付勢している。
【００９４】
また、上記退避用バネ２３は、引っ張りコイルバネであって、上記支持天板９上の一側側のバネ係止片３０とこの支持天板９上の他側側に回動可能に取り付けられた第１の切り換えレバー１９のバネ係止部２４との間に張架されている。
【００９５】
上記第１の切り換えレバー１９は、上記付勢手段による上記ディスク排出アーム１２，１４に対する付勢方向を切り換える付勢方向切り換え機構を構成するものである。この第１の切り換えレバー１９は、中央部分を、上記支持天板９に対して支軸１１１を介して回動可能に支持されている。
【００９６】
この第１の切り換えレバー１９は、前端側が操作端２２となされ、後端側が被操作端２１となされている。この第１の切り換えレバー１９は、上記支軸１１１と上記操作端２２との間に上記バネ係止部２４を有し、このバネ係止部２４に係止される上記退避用バネ２３により、該操作端２２を、図１中矢印Ａで示す一側側方向に移動させる方向に回動付勢されている。
【００９７】
この第１の切り換えレバー１９は、上記操作端２２を前方側に向け上記被操作端２１を後方側に向ける初期位置において位置決めされ、この初期位置より、上記退避用バネ２３を引き延ばす方向に、所定の角度内において回動可能となされている。
【００９８】
上記付勢方向切り換え機構は、上記第１の切り換えレバー１９と、上記排出スライダ３１に回動可能に取り付けられた第２及び第３の切り換えレバー４３，４０とから構成される。
【００９９】
上記第２の切り換えレバー４３は、上記第１の切り換えレバー１９の後方側に位置して配設され、上記排出スライダ３１の他端側に向けた基端側を支軸１０９を介して該排出スライダ３１に回動可能に支持されている。この第２の切り換えレバー４３は、上記排出スライダ３１の一端側に向けた先端部を、上記第１の切り換えレバー１９の被操作端２１に対向させている。
【０１００】
この第２の切り換えレバー４３は、捻りコイルバネ４４により、図１中矢印Ｆで示すように、先端側を前方側に移動させる方向に回動付勢されるとともに、先端側に設けられた倣いピン４５を上記支持天板９の後縁部に形成されたカム部２６に当接させて、図４に示すように、初期位置に位置決めされている。このカム部２６は、上記排出スライダ３１が一端側方向に移動されたときに、図９に示すように、上記倣いピン４５を介して、上記第２の切り換えレバー４３の先端側を後方側に移動させる形状を有している。
【０１０１】
上記第３の切り換えレバー４０は、上記第１の切り換えレバー１９の前方側に位置して配設され、上記排出スライダ３１の一端側に向けた基端側を支軸１１２を介して該排出スライダ３１に回動可能に支持されている。この第３の切り換えレバー４０は、先端部４１を上記排出スライダ３１の他端側に向けている。
【０１０２】
この第３の切り換えレバー４０は、捻りコイルバネ４２により、図１中矢印Ｅで示すように、先端部４１を後方側に移動させる方向に回動付勢された状態で、初期位置に位置決めされている。
【０１０３】
この第３の切り換えレバー４０は、上記排出スライダ３１が一端側方向にスライドされたときに、上記第１の切り換えレバー１９の操作端２２が先端側に当接されることにより一旦は先端部４１を前方側に移動させる方向に回動された後、上記捻りコイルバネ４２の付勢力により初期位置に復帰し、このとき、図８及び図９に示すように、該先端部４１を、該第１の切り換えレバー１９の操作端２２に対向させる。
【０１０４】
なお、上記第１の切り換えレバー１９の操作端２２は、この第１の切り換えレバー１９が初期位置にあるならば、上記排出スライダ３１が一端側方向にスライドされても、上記第３の切り換えレバー４０の先端側に当接しない。しかし、上記第１の切り換えレバー１９は、上記排出スライダ３１が一端側方向にスライドされるときには、後述するように、上記第２の切り換えレバー４３により、初期位置よりも上記操作端２２を前方側とする方向に回動されるため、この操作端２２を上記第３の切り換えレバー４０の先端側に当接させ、また、この第３の切り換えレバー４０の先端部４１に対向させるのである。
【０１０５】
この付勢方向切り換え機構は、上記ディスク排出ピン１３，１５の移動方向及び位置に応じて、上記付勢手段による上記ディスク排出アーム１２，１４に対する付勢方向を切り換えるものである。
【０１０６】
すなわち、上記ディスク排出アーム１２，１４は、上記ディスク排出ピン１３，１５を上記初期位置と第１の反転位置との間、すなわち、該第１の反転位置よりも前方側に位置させているときには、図４乃至図８に示すように、このディスク排出ピン１３，１５を前方に移動させる方向に回動付勢される。このときの上記ディスク排出アーム１２，１４に対する上記ディスク排出ピン１３，１５を前方に移動させる方向の回動付勢は、上記排出用バネ２３により、上記排出スライダ３１を介してなされる。
【０１０７】
上記第１の反転位置は、上記光ディスク２０１が上記ディスク装着部２に対向する位置となされたときの、この光ディスク２０１の後方側の縁部に相当する位置である。
【０１０８】
また、上記各ディスク排出ピン１３，１５が上記第１の反転位置に至ったとき、上記第２の切り換えレバー４３は、図８乃至図９に示すように、先端側を後方側に移動されることにより、この先端側を上記第１の切り換えレバー１９の被操作端２１より後方側へ外す。
【０１０９】
そして、上記排出スライダ３１が一端側に移動されて上記ディスク排出ピン１３，１５が上記第１の反転位置に接近したときには、図７及び図８に示すように、上記第２の切り換えレバー４３により、上記第１の切り換えレバー１９が回動され、上記退避用バネ２９が伸ばされる。したがって、このとき、上記退避用バネ２９も、上記第１及び第２の切り換えレバー１９，４３を介して、上記排出用バネ２３と同様に、上記排出スライダ３１を他端側方向に付勢し、上記ディスク排出ピン１３，１５を前方に移動させる方向に上記各ディスク排出アーム１２，１４を回動付勢する。
【０１１０】
また、この付勢方向切り換え機構は、上記ディスク排出ピン１３，１５が後方に向けて移動しているときであって該ディスク排出ピン１３，１５の位置が第１の反転位置とこの第１の反転位置よりも後方側である第２の反転位置との間であるときには、図９に示すように、上記退避用バネ２９の付勢力を、上記第１の切り換えレバー１９の操作端２２及び上記第３の切り換えレバー４０の先端部４１を介して、上記ディスク排出アーム１２，１４に伝達させる。
【０１１１】
このとき、上記退避用バネ２９の付勢力は、上記排出スライダ３１を一端側方向に付勢し、図９中矢印Ｗ及び矢印Ｖで示すように、上記ディスク排出ピン１３，１５を後方に移動させる方向に上記各ディスク排出アーム１２，１４を回動付勢する。ここで、上記退避用バネ２９の付勢力は、上記排出用バネ２３の付勢力よりも大きいため、上記各ディスク排出アーム１２，１４は、上記各ディスク排出ピン１３，１５を後方に移動させる方向に回動される。したがって、このとき、上記各ディスク排出ピン１３，１５は、上記光ディスク２０１の周縁部より離間され、上記第２の反転位置に至る。
【０１１２】
そして、上記付勢方向切り換え機構は、上記各ディスク排出アーム１２，１４が上記各ディスク排出ピン１３，１５を上記第２の反転位置よりも後方側に位置させているときには、該各ディスク排出アーム１２，１４を、該ディスク排出ピン１３，１５が前方に移動される方向に回動付勢する。
【０１１３】
すなわち、上記各ディスク排出ピン１３，１５が上記第２の反転位置を経てこの第２の反転位置よりも後方側に位置するときには、図１０に示すように、上記第１の切り換えレバー１９が初期位置に復帰して上記操作端２２を上記第３の切り換えレバー４０の先端部４１より後方側に外すため、上記排出スライダ３１は、上記排出用バネ２３のみにより、他端側方向に付勢されることとなる。
【０１１４】
そして、上記各ディスク排出ピン１３，１５が上記第２の反転位置よりも後方側に至った後、上記排出スライダ３１は、ロック機構となるロックレバー４６により係止される。
【０１１５】
このロックレバー４６は、上記支持天板９の下面部に植設された支軸１１０を介して、中央部分を回動可能に支持され、上記排出スライダ３１の他端側の前縁部近傍に配設されている。
【０１１６】
このロックレバー４６は、捻りコイルバネ４７により、図１及び図２中矢印Ｑで示すように、一端側を上記排出スライダ３１の前縁部に押接させる方向に回動付勢されている。このロックレバー４６の一端側には、ロックピン４９が取り付けられている。
【０１１７】
また、このロックレバー４６の他端側には、前方側に向けて被押圧面部４８が形成されている。この被押圧面部４８は、上記イジェクトスライダ７７の後端部に対向している。
【０１１８】
そして、上記排出スライダ３１の他端側の前縁部分には、上記ロックピン４９が嵌入係合するためのロック凹部５０が形成されている。
【０１１９】
上記排出スライダ３１が上記各ディスク排出ピン１３，１５を上記初期位置より上記第１の反転位置までの間に位置させているときには、上記ロックレバー４６は、図４乃至図８に示すように、上記ロックピン４９を上記排出スライダ３１の前縁部であって上記ロック凹部５０よりもこの排出スライダ３１の一端側である部分に当接させている。
【０１２０】
そして、上記ロックレバー４６は、上記排出スライダ３１が上記各ディスク排出ピン１３，１５を上記第１の反転位置よりも後方に位置させているときには、図９及び図１０に示すように、上記ロックピン４９を上記ロック凹部５０内に嵌合させる。このとき、上記排出スライダ３１は、上記ロックレバー４６により、他端側方向に復帰することを阻止される。
【０１２１】
上記ロックレバー４６は、上記イジェクトスライダ７７が後方側にスライドされると、図１１に示すように、このイジェクトスライダ７７の後端部により上記被押圧面部４８を押圧され、上記捻りコイルバネ４７の付勢力に抗して回動され、上記ロックピン４９を上記ロック凹部５０より前方側に抜け出させる。したがって、このとき、上記排出スライダ３１は、上記排出用バネ２３の付勢力により、他端側方向に復帰することが可能となされる。
【０１２２】
すなわち、上記ロックレバー４６は、上記排出スライダ３１を介して、上記ディスク排出アーム１２，１４を、上記イジェクトスライダ７７による解除操作可能に、上記各ディスク排出ピン１３，１５を上記第１の反転位置よりも後方側、すなわち、上記光ディスク２０１より離間した位置とする位置において係止する。
【０１２３】
上記イジェクトスライダ７７が後方側にスライドされて上記排出スライダ３１が上記排出用バネ２３の付勢力により他端側方向に復帰するときには、図１１乃至図１４に示すように、この排出スライダ３１は、上記各ディスク排出ピン１３，１５が上記初期位置に復帰するまで、図１１乃至図１４中矢印Ｃ及び矢印Ｄで示すように、上記各ディスク排出アーム１２，１４を回動操作する。
【０１２４】
上記イジェクトスライダ７７が後方側にスライドされたときには、上述したように、上記チャッキングフレーム８４が上記リリース位置となされるので、上記ディスクテーブル４上に載置されていた光ディスク２０１は、上記ディスクリフタ板９０により上昇され、該ディスクテーブル４より離間される。
【０１２５】
そして、このディスクリフタ板９０により上昇された光ディスク２０１は、前方側に移動する上記各ディスク排出アーム１２，１４のディスク排出ピン１３，１５により、前方側に移動操作される。
【０１２６】
上記外筐体内の前方側部分の両側側は、左右一対のブレーキ部材９７，９７が配設されている。上記各ブレーキ部材９７は、それぞれ後端側を上記外筐体内に設けられた支軸９９により回動可能に支持され、前端側のバネ係止ピン１００と上記外筐体の内壁部との間に亘って張架された引っ張りコイルバネ９８により、図１中矢印Ｏ及び矢印Ｐで示すように、該前端側を上記外筐体の内側側に向ける方向に回動付勢された状態で、初期位置に位置決めされている。
【０１２７】
上記各ブレーキ部材９７，９７は、上記ロックレバー４６による上記排出スライダ３１に対する係止、すなわち、ディスク排出アーム１２，１４に対する係止が解除され、図１５中矢印Ｚで示すように、このディスク排出アーム１２，１４が上記ディスク排出ピン１３，１５を介して上記排出用バネ２３の付勢力により上記光ディスク２０１を前方側に排出したときに、図１５に示すように、この光ディスク２０１の周縁部に摺接する。
【０１２８】
このとき、上記各ブレーキ部材９７，９７は、上記光ディスク２０１により、上記各引っ張りコイルバネ９８，９８の付勢力に抗して、上記外筐体の外側側方向に回動され、これら引っ張りコイルバネ９８，９８の初期状態への復帰力により、この光ディスク２０１の移動速度を抑える。このとき、上記光ディスク２０１は、図１４に示すように、前方側部分の略々半分の部分を上記スロット７を介して上記外筐体の前方側に突出させた状態で停止する。
【０１２９】
そして、図１５及び図１６において矢印Ｚで示すように、上記光ディスク２０１が上記スロット７を介して上記外筐体より前方側に抜き取られることにより、イジェクト操作が完了する。
【０１３０】
［３］ディスクプレーヤ装置の動作（図４乃至図１６）
（３−１）初期状態（図４）
このディスクプレーヤ装置においては、初期状態においては、図４に示すように、上記各ディスク引き込みアーム５４，５６及び上記ディスク検知レバー６２は、上記初期位置となされている。
【０１３１】
また、上記各ディスク排出アーム１２，１４は、上記各ディスク排出ピン１３，１５を初期位置となしている。
【０１３２】
上記チャッキングフレーム８４は、上記ストッパ部材７３の当接支持部１０６により、上記リリース位置に保持されている。
【０１３３】
（３−２）光ディスクの挿入操作（図４乃至図１０）
このディスクプレーヤ装置において、光ディスク２０１を挿入操作するには、図４において矢印Ｓで示すように、上記スロット７を介して、上記各ディスク引き込みアーム５４，５６間に、前方側より該光ディスク２０１を挿入する。すると、上記各ディスク引き込みアーム５４，５６は、この光ディスク２０１の周縁部により上記各ディスク引き込みピン５５，５７を押圧され、上記引き込みバネ１１３の付勢力に抗して、図５中矢印Ｔ及び矢印Ｕで示すように、該各ディスク引き込みピン５５，５７間を離間させる方向に回動される。
【０１３４】
上記光ディスク２０１をさらに後方側に挿入すると、図６に示すように、上記各ディスク引き込みピン５５，５７間の間隔が上記光ディスク２０１の直径に等しい距離となる。このとき、上記光ディスク２０１の後縁部分は、上記初期位置となっている上記各ディスク排出ピン１３，１５に当接する。
【０１３５】
また、このとき、上記ディスク検知レバー６２は、上記光ディスク２０１の周縁部に上記ディスク検知ピン６３を当接され、このディスク検知ピン６３を後方側とする方向に回動され始める。
【０１３６】
上記光ディスク２０１をさらに後方側に挿入すると、図７に示すように、この光ディスク２０１の後縁部分は、上記各ディスク排出ピン１３，１５を押圧し、図７中矢印Ｗ及び矢印Ｖで示すように、上記各ディスク排出アーム１２，１４を、上記排出用バネ２９の付勢力に抗して回動させる。
【０１３７】
上記ディスク検知レバー６２は、上記光ディスク２０１の周縁部に上記ディスク検知ピン６３を当接され、このディスク検知ピン６３を後方側とする方向に回動されている。
【０１３８】
また、このとき、上記第１の切り換えレバー１９の被操作端２１に上記第２の切り換えレバー４３の先端部が当接し、上記退避用バネ２３が伸ばされ始める。上記各ディスク排出アーム１２，１４の上記各ディスク排出ピン１３，１５を後方側に移動させる回動が始まると、図８に示すように、上記各ディスク引き込みアーム５４，５６は、上記引き込みバネ１１３の付勢力により、上記各ディスク引き込みピン５５，５７を互いに接近させる方向に回動される。このとき、上記各ディスク引き込みアーム５４，５６は、上記引き込みバネ１１３の付勢力により、上記各ディスク引き込みピン５５，５７を介して、上記光ディスク２０１を後方側に引き込む。
【０１３９】
上記ディスク検知レバー６２は、上記光ディスク２０１の周縁部に上記ディスク検知ピン６３を当接され、このディスク検知ピン６３を後方側とする方向に回動されている。上記退避用バネ２３は、さらに伸ばされる。
【０１４０】
上記光ディスク２０１が上記ディスク装着部に対向する位置まで引き込まれると、図９に示すように、上記各ディスク引き込みアーム５４，５６は、上記ローディング位置となる。このとき、上記各ディスク引き込みピン５５，５７は、上記光ディスク２０１の前縁側を位置決めする。また、このとき、上記各ディスク排出ピン１３，１５は、上記光ディスク２０１の後縁側を位置決めする。
【０１４１】
すなわち、上記光ディスク２０１は、上記各ディスク引き込みピン５５，５７及び上記各ディスク排出ピン１３，１５により、上記ディスク装着部に対向する位置、すなわち、上記チャッキング孔２０２を上記ディスクテーブル４の中央部分に対向させる位置に位置決めされる。
【０１４２】
上記ディスク検知レバー６２は、上記各ディスク引き込みアーム５４，５６を上記ローディング位置となした上記引き込みスライダ５１の一端部が上記ディスク検知ピン６３に当接される。ディスク検知レバー６２は、上記引き込みスライダ５１に押されて、このディスク検知ピン６３が上記光ディスク２０１より離間する位置まで回動され、この状態が保持される。
【０１４３】
このとき、上記各ディスク排出ピン１３，１５が上記第１の反転位置に至っており、第１の切り換えレバー１９の操作端２２は、上記第３の切り換えレバー４０の先端部４１に対向し当接している。したがって、上記排出スライダ３１は、第１の切り換えレバー１９及び第３の切り換えレバー４０を介して上記退避用バネ２３の付勢力が伝えられ、図９中矢印Ｗ及び矢印Ｖで示すように、上記各ディスク排出ピン１３，１５を上記第２の反転位置に至らせる方向に、上記各ディスク排出アーム１２，１４を回動させる。
【０１４４】
そして、上記第２の切り換えレバー４３の先端部が上記第１の切り換えレバー１９の被操作端２１より外れ、上記各ディスク排出ピン１２，１４が上記第２の反転位置に至ると、図１０に示すように、上記第１の切り換えレバー１９の操作端２２が上記第３の切り換えレバー４０の先端部４１より外れ、上記退避用バネ２３は、初期状態に復帰する。上記排出スライダ３１は、上記排出用バネ２９により他端側方向に付勢された状態で、上記ロックレバー４６により係止される。このとき、上記各ディスク排出ピン１２，１４は、上記光ディスク２０１より離間している。
【０１４５】
（３−３）光ディスクのチャッキング（図９及び図１０）
上記各ディスク引き込みアーム５４，５６が上記ローディング位置に至ったとき、上記引き込みスライダ５１は、図９に示すように、上記鈎状部材９３を介して、上記ストッパ部材７３を回動させる。したがって、このとき、上記チャッキングフレーム８４は、上記ストッパ部材７３の当接支持部１０６による保持が解除され、上記引っ張りコイルバネ８９の付勢力により、上記チャッキング位置に回動される。
【０１４６】
上記チャッキングフレーム８４が上記チャッキング位置となることにより、上記光ディスク２０１は、上記チャッキングプレート９１と上記ディスクテーブル４とにより挟持されて保持される。また、このとき、上記光ディスク２０１は、チャッキングプレート９１がチャッキング位置に下がることで、上記各ディスク引き込みピン５５，５７の基端部と対向していた周縁部が欠損部１０８，１９８と対向し、ディスク引き込みピン５５，５７より離間する。
【０１４７】
この状態において、上記光ディスク２０１を上記スピンドルモータにより回転操作し、この光ディスク２０１よりの上記光学ピックアップ装置５による情報信号の読み出しを行うことができる。
【０１４８】
（３−４）光ディスクのイジェクト操作（図１１乃至図１６）
このディスクプレーヤ装置において、図１１中に矢印Ｘで示すように、上記イジェクト釦８２を押圧操作して上記イジェクトスライダ７７を後方側にスライドさせると、このイジェクトスライダ７７は、図１１において矢印Ｙで示すように、上記係合片８１により、上記復帰操作ピン６５を介して、上記引き込みスライダ５１を上記各ディスク引き込みアーム５４，５６が上記初期位置となる位置に復帰させる。
【０１４９】
なお、このとき、上記鈎状部材９３は、上記ストッパ部材７３の係合ピン７４に当接し、一旦後方側に向けて回動され、先端側の鈎部を該係合ピン７４に係合させる位置に至ると、前方側に回動されて初期状態に復帰する。
【０１５０】
上記イジェクトスライダ７７が後方側にスライドすることにより、上記チャッキングフレーム８４は、上記リリース操作ピン８０により上記テーパカム部８８を介して上方に向けて上記リリース位置まで回動操作され、上記ストッパ部材７３の当接支持部１０６により、該リリース位置に保持される。
【０１５１】
上記チャッキングフレーム８４が上記リリース位置となることにより、上記光ディスク２０１は、上記ディスクリフタ板９０上に載置されて、上記ディスクテーブル４より上方側に離間される。
【０１５２】
そして、上記イジェクトスライダ７７が後方側にスライドすることにより、上記ロックレバー４６が回動操作され、このロックレバー４６は、上記排出スライダ３１に対する係止を解除する。
【０１５３】
上記ロックレバー４６による係止を解除された排出スライダ３１は、上記排出用バネ２９の付勢力により、図１２において矢印Ｃ及び矢印Ｄで示すように、上記各ディスク排出ピン１３，１５が前方側に移動する方向に、上記各ディスク排出アーム１２，１４を回動操作する。
【０１５４】
上記各ディスク排出アーム１２，１４は、図１１乃至図１４に示すように、上記各ディスク排出ピン１３，１５を上記初期位置とするまで、図１１乃至図１３中矢印Ｃ及び矢印Ｄで示すように、回動操作される。
【０１５５】
このとき、上記光ディスク２０１は、上記各ディスク排出ピン１３，１５に後縁部を押圧されて、図１２及び図１３中に矢印Ｚで示すように、上記スロット７を介して、上記外筐体の前方側に排出操作される。
【０１５６】
上記各ディスク排出アーム１２，１４が上記各ディスク排出ピン１３，１５を上記初期位置とするまで回動操作されるとき、上記第２の切り換えレバー４３は、先端側を上記第１の切り換えレバー１９の被操作端２１に当接させるが、一旦後方側に向けて回動され、先端側を該被操作端２１に当接させない位置に至ると、前方側に回動されて初期状態に復帰する。したがって、このとき、上記第１の切り換えレバー１９は、回動操作されない。
【０１５７】
また、上記各ディスク排出アーム１２，１４が上記各ディスク排出ピン１３，１５を上記初期位置とするまで回動操作されるとき、上記第３の切り換えレバー４０は、上記第１の切り換えレバー１９に当接することはない。
【０１５８】
上記各ディスク排出ピン１３，１５が上記初期位置となったとき、上記光ディスク２０１は、図１４に示すように、上記各ブレーキ部材９７，９７により両側側の周縁部を挟持され、前方側部分の略々半分の部分を上記スロット７を介して上記外筐体の前方側に突出させた状態で停止する。
【０１５９】
そして、図１５及び図１６において矢印Ｚで示すように、上記光ディスク２０１を上記スロット７を介して上記外筐体より前方側に抜き取ると、上記ディスク引き込みアーム５４，５６は、図１５中矢印Ｈ及び矢印Ｊで示すように、上記引き込みバネ１１３の付勢力により上記各ディスク引き込みピン５５，５７を互いに接近させる方向に回動され、該光ディスク２０１を前方側に押し出す。
【０１６０】
また、上記光ディスク２０１を上記外筐体より前方側に抜き取るとき、上記ディスク検知レバー６２は、図１５に示すように、上記初期位置に復帰する。このディスク検知レバー６２は、上記光ディスク２０１が上記外筐体より前方側に抜き取られると、図１６に示すように、上記ディスク検知ピン６３により、上記引き込みスライダ５１を、上記各ディスク引き込みアーム５４，５６が上記初期位置となる位置において保持する。このように、上記各ディスク引き込みアーム５４，５６が上記初期位置に復帰することにより、イジェクト操作が完了する。
【０１６１】
【発明の効果】
上述のように、本発明に係るディスクローディング機構においては、ディスク装着部の前方側に配設され基端側を回動可能に支持され先端側にディスク当接部材を有する左右一対のディスク引き込みアーム間に前方側より光ディスクが挿入され、これらディスク引き込みアームが該ディスク当接部材を該光ディスクの周縁部に当接させ該光ディスクの移動に伴って引き込み用付勢部材の付勢力に抗して回動され、さらに、これらディスク引き込みアームが該各ディスク当接部材間の距離が該光ディスクの直径に相当する距離となった後に該引き込み用付勢部材の付勢力により該光ディスクをディスク装着部に向けて移動させたとき、チャッキング部材は、該各ディスク引き込みアームの回動に連動して該ディスク装着部に接近する方向に移動操作されて該光ディスクを該ディスク装着部に装着させる。
【０１６２】
したがって、このディスクローディング機構においては、上記チャッキング部材により、挿入操作された上記光ディスクの位置に応じたャッキング動作を行うことができる。
【０１６３】
すなわち、本発明は、装置構成の簡素化、小型化、軽量化が可能となされ、消費電力の増加が抑えられ、特に、携帯用、屋外用として構成されるディスクプレーヤ装置に適用して好適なディスクローディング機構を提供することができるものである。
【図面の簡単な説明】
【図１】本発明に係るディスクローディング機構を有するディスクプレーヤ装置の構成を示す分解斜視図である。
【図２】上記ディスクローディング機構のディスク引き込みアームの構成を示す斜視図である。
【図３】上記ディスクローディング機構のディスク排出アームの構成を示す斜視図である。
【図４】上記ディスクローディング機構の初期状態を示す平面図である。
【図５】上記ディスクローディング機構において光ディスクの挿入操作が開始された状態を示す平面図である。
【図６】上記ディスクローディング機構における光ディスクの挿入操作の途中の状態を示す平面図である。
【図７】上記ディスクローディング機構において光ディスクが挿入操作されディスク排出アームに対する操作が開始された状態を示す平面図である。
【図８】上記ディスクローディング機構において光ディスクが引き込まれディスク排出アームに対する操作が行われている状態を示す平面図である。
【図９】上記ディスクローディング機構において光ディスクが引き込まれディスク排出アームの付勢方向が反転した状態を示す平面図である。
【図１０】上記ディスクローディング機構においてディスク排出アームの付勢方向が再び反転し係止された状態を示す平面図である。
【図１１】上記ディスクローディング機構においてディスクの排出操作が開始された状態を示す平面図である。
【図１２】上記ディスクローディング機構においてディスク排出アームが光ディスクの排出を開始した状態を示す平面図である。
【図１３】上記ディスクローディング機構においてディスク排出アームが光ディスクを排出している途中の状態を示す平面図である。
【図１４】上記ディスクローディング機構においてディスク排出アームが光ディスクの排出を完了した状態を示す平面図である。
【図１５】上記ディスクローディング機構においてディスク排出アームにより排出された光ディスクを外筐体外方に取り出している状態を示す平面図である。
【図１６】上記ディスクローディング機構において光ディスクが取り出された後に復帰した初期状態を示す平面図である。
【符号の説明】
４ ディスクテーブル、５ 光学ピックアップ装置、５１ 引き込みスライダ、５４，５６ ディスク引き込みアーム、５５，５７ ディスク引き込みピン、５９，６１ 支持孔、６２ ディスク検知レバー、８４ チャッキングフレーム、９１ チャッキングプレート、９２ チャッキングアーム、１１３ 引き込みバネ、２０１ 光ディスク
【図１】
0003572695.tif 000002
【図２】
0003572695.tif 000003
【図３】
0003572695.tif 000004
【図４】
0003572695.tif 000005
【図５】
0003572695.tif 000006
【図６】
0003572695.tif 000007
【図７】
0003572695.tif 000008
【図８】
0003572695.tif 000009
【図９】
0003572695.tif 000010
【図１０】
0003572695.tif 000011
【図１１】
0003572695.tif 000012
【図１２】
0003572695.tif 000013
【図１３】
0003572695.tif 000014
【図１４】
0003572695.tif 000015
【図１５】
0003572695.tif 000016
【図１６】
0003572695.tif 000017